(57)【要約】  モジュラ医用デバイス（例えばモジュラ除細動器／モニタ）１０は、一次医用モジュール３０に割り当てられている一次医用タスク（例えば電気治療）の実行のために給電する一次電源（例えば電池及び／又は配電）３４を含む上記一次医用モジュール３０と、リモート医用モジュール２０に割り当てられているリモート医用タスク（例えば患者パラメータモニタリング）の実行のために給電するリモート電源（例えば電池及び／又は配電）２４を含む上記リモート医用モジュール２０とを使用する。動作時、一次医用モジュール３０は、一次電源３４が、一次医用タスクの実行のために十分な電力を有するか又は不十分な電力を有するかを確認し、リモート医用モジュール２０は、一次電源３４が一次医用タスクの実行のために十分な電力を有することを一次医用モジュール３０が確認する場合、一次電源３４によるリモート電源２４の充電を制御する。
2018500127.tif 000002
【特許請求の範囲】
【請求項１】
複数の医用タスクをモジュラ実行するモジュラ医用デバイスであって、
一次医用モジュールに割り当てられている一次医用タスクの実行のために給電する一次電源を含む前記一次医用モジュールと、
リモート医用モジュールに割り当てられているリモート医用タスクの実行のために給電するリモート電源を含む前記リモート医用モジュールと、
を含み、
前記一次医用モジュールは、前記一次電源が、前記一次医用モジュールに割り当てられている前記一次医用タスクの実行のために十分な電力を有するか又は不十分な電力を有するかを確認し、
前記一次電源が前記一次医用モジュールに割り当てられている前記一次医用タスクの実行のために十分な電力を有することを前記一次医用モジュールが確認することに反応して、前記リモート医用モジュールは、前記一次電源による前記リモート電源の充電を制御するように、前記一次医用モジュールと電力接続して動作可能である、モジュラ医用デバイス。
【請求項２】
前記リモート電源が前記リモート医用モジュールに割り当てられている前記リモート医用タスクの実行のために不十分な電力を有することを前記リモート医用モジュールが確認することに反応して、前記リモート医用モジュールは、前記一次電源による前記リモート電源の充電を開始するように動作可能である、請求項１に記載のモジュラ医用デバイス。
【請求項３】
前記一次電源が前記一次医用モジュールに割り当てられている前記一次医用タスクの実行のために不十分な電力を有することを前記一次医用モジュールが、前もって確認したことに反応して、前記一次医用モジュールは更に、前記リモート医用モジュールにより制御される前記一次電源による前記リモート電源の充電を阻止するように動作可能である、請求項１に記載のモジュラ医用デバイス。
【請求項４】
前記一次電源が前記一次医用モジュールに割り当てられている前記一次医用タスクの実行のために不十分な電力を有することを前記一次医用モジュールが、後で確認することに反応して、前記一次医用モジュールは更に、前記リモート医用モジュールにより制御される前記一次電源による前記リモート電源の充電を終了するように動作可能である、請求項１に記載のモジュラ医用デバイス。
【請求項５】
前記一次電源は、充電式電池、非充電式電池及び配電のうちの少なくとも１つを含む、請求項１に記載のモジュラ医用デバイス。
【請求項６】
前記一次医用モジュールは、前記一次電源を外部電源に接続するように動作可能である、請求項１に記載のモジュラ医用デバイス。
【請求項７】
前記リモート電源は、充電式電池、非充電式電池及び配電のうちの少なくとも１つを含む、請求項１に記載のモジュラ医用デバイス。
【請求項８】
前記一次医用モジュールは、電気治療タスクを実行するように動作可能である治療医用モジュールである、請求項１に記載のモジュラ医用デバイス。
【請求項９】
前記リモート医用モジュールは、患者パラメータモニタリングタスクを実行するように動作可能であるモニタ医用モジュールである、請求項１に記載のモジュラ医用デバイス。
【請求項１０】
複数の医用タスクをモジュラ実行するモジュラ医用デバイスを操作する方法であって、
前記モジュラ医用デバイスは、一次医用モジュールに割り当てられている一次医用タスクの実行のために給電する前記一次医用モジュールと、リモート医用モジュールに割り当てられているリモート医用タスクの実行のために給電する前記リモート医用モジュールとの間の電力接続を有し、
前記方法は、
一次電源が、前記一次医用モジュールに割り当てられている前記一次医用タスクの実行のために十分な電力を有するか又は不十分な電力を有するか、前記一次医用モジュールが確認するステップと、
前記一次電源が前記一次医用モジュールに割り当てられている前記一次医用タスクの実行のために十分な電力を有することを、前記一次医用モジュールが確認することに反応して、前記リモート医用モジュールが、前記一次電源による前記リモート電源の充電を制御するステップと、
を含む、方法。
【請求項１１】
リモート電源が前記リモート医用モジュールに割り当てられている前記リモート医用タスクの実行のために不十分な電力を有することを、前記リモート医用モジュールが確認することに反応して、前記リモート医用モジュールが、前記一次電源による前記リモート電源の充電を開始するステップを更に含む、請求項１０に記載の方法。
【請求項１２】
前記一次電源が前記一次医用モジュールに割り当てられている前記一次医用タスクの実行のために不十分な電力を有することを、前記一次医用モジュールが、前もって確認することに反応して、前記一次医用モジュールが、前記リモート医用モジュールにより制御される前記一次電源による前記リモート電源の充電を阻止するステップを更に含む、請求項１０に記載の方法。
【請求項１３】
前記一次電源が前記一次医用モジュールに割り当てられている前記一次医用タスクの実行のために不十分な電力を有することを、前記一次医用モジュールが、後で確認することに反応して、前記一次医用モジュールが、前記リモート医用モジュールにより開始される前記一次電源による前記リモート電源の充電を終了するステップを更に含む、請求項１０に記載の方法。
【請求項１４】
前記一次医用モジュールは、電気治療タスクを実行する治療医用モジュールである、請求項１０に記載の方法。
【請求項１５】
前記リモート医用モジュールは、患者パラメータモニタリングタスクを実行するモニタ医用モジュールである、請求項１０に記載の方法。
【発明の詳細な説明】
【技術分野】
【０００１】
本発明は、概して、リモート医用モジュール（例えばモニタモジュール）とモジュラ医用デバイス（例えばモジュラ除細動器／モニタ）の一次医用モジュール（例えば治療モジュール）との間の充電に関する。本発明は、特に、リモート医用モジュール及び／又は一次医用モジュールの特定の動作条件下で、リモート医用モジュールによって開始される一次医用モジュールによるリモート医用モジュールの電池充電に関する。
【背景技術】
【０００２】
ポータブル除細動器／モニタは、緊急診療のために、病院の内外で使用されている。これらのデバイスは、例えば心電図（「ＥＣＧ」）、パルスオキシメトリ（「ＳｐＯ２」）、非侵襲的血圧（「ＮＩＢＰ」）、呼気（呼気終末）二酸化炭素（「ＥｔＣＯ２」）、温度及び観血血圧（「ＩＢＰ」）といったパラメータをモニタリングする１つ以上のバイタルサインを組み込む。これらのデバイスは更に、例えば除細動ショック、同期電気的除細動及び経皮的ペーシングといった電気治療デリバリ機能を組み込む。
【０００３】
ポータブル除細動器／モニタのモジュラバージョンでは、患者測定機能の全部又は一部は、高エネルギー治療デリバリを提供する治療モジュールから分離可能である測定モジュールによって主に提供される。測定モジュールは、通常、高エネルギー治療デリバリに必要なより大型及び重量の電気コンポーネントを収容する治療モジュールよりも小型及び軽量である。測定モジュールは、小型及び軽量であるので、容易に取り扱うことができ、患者が運ばれる際に、患者のバイタルパラメータの連続モニタリングを提供するように、患者と共にストレッチャ上に置くことができる。
【０００４】
例えばＣｏｒｐｕｌｓ３として知られている市販のモジュラ除細動器／モニタは、モニタリングユニットと、患者ボックスと、除細動器／ペーサユニットとに分けることができる。分けられた後、これらのモジュールは、モニタリングユニットと除細動器／ペーサユニットとの両方のディスプレイ及びユーザインターフェースコントロールを提供する患者ボックスとワイヤレス通信することができる。より具体的には、Ｃｏｒｐｕｌｓ３は、モジュールの電池充電に、外部配電を使用する。更に、モジュールは、ドッキングされると、ドッキングされた当該モジュールの電池を充電することなく、他のモジュールのうちの１つのモジュールの電池によって供給される電力から動作することができる。したがって、通常、各モジュールによって同一の電池が使用される。
【０００５】
更なる例として、米国特許第８，７８８，０３８Ｂ２号は、分離可能な測定ポッド（即ち、リモート医用モジュール）の電池の給電及び充電を制御する一次医用モジュールとしての役割を果たす機能を有するベース除細動器モジュールを使用する体外除細動器について説明している。具体的には、ベース除細動器モジュールは、ベース電池の電力条件と測定ポッドの電池の電力条件とに基づいて、いつ測定ポッドの電池が充電されるべきかを決定する。
【発明の概要】
【発明が解決しようとする課題】
【０００６】
従来技術を改良するために、本発明は、一次医用モジュールによるリモート医用モジュールの充電を条件付きで制御する、上記リモート医用モジュールを含むモジュラ医用デバイスの充電スキームを提供する。
【課題を解決するための手段】
【０００７】
第一条件は、一次医用モジュールが、当該一次医用モジュールに割り当てられている医用タスクを実行することに加えて、リモート医用モジュールの電池を充電するのに十分な電力を有することである。任意選択の条件は、リモート医用モジュールが、当該リモート医用モジュールに割り当てられているタスクを実行するのに不十分な電力を有することである。
【０００８】
例えばモジュラ除細動器／モニタは、（１）治療モジュールが、当該治療モジュールに割り当てられている電気治療タスクを実行することに加えて、モニタリングモジュールを充電するのに十分な電力を有することを含み、（２）モニタリングモジュールが、当該モニタリングモジュールに割り当てられている患者パラメータモニタリングタスクを実行するのに不十分な電力を有することを任意選択的に含むという条件で、治療モジュールによるモニタリングモジュールの充電を条件付きで制御する上記モニタリングモジュールを含む。
【０００９】
この新規かつ優れた充電スキームは、市販されているモジュラ医用デバイス（例えばＣｏｒｐｕｌｓ３）を含むがこれに限定されないモジュラ医用デバイス及び新規に開発される又は開発中のモジュラ医用デバイスの多くの形において実現可能である。
【００１０】
本発明の１つの形は、複数の医用タスクをモジュラ実行するモジュラ医用デバイス（例えばモジュラ除細動器／モニタ）である。モジュラ医用デバイスは、一次医用モジュール（例えば電気治療モジュール）に割り当てられている一次医用タスクの実行のために給電する一次電源を含む上記一次医用モジュールと、リモート医用モジュール（例えば患者パラメータモニタリングモジュール）に割り当てられているリモート医用タスクの実行のために給電するリモート電源を含む上記リモート医用モジュールとを使用する。動作中、一次医用モジュールは、一次電源が、一次医用モジュールに割り当てられている一次医用タスクの実行のために十分な電力を有するか又は不十分な電力を有するかをモニタリングし、リモート医用モジュールは、一次電源が一次医用モジュールに割り当てられている一次医用タスクの実行のために十分な電力を有することを一次医用モジュールが確認した場合、一次電源によるリモート電源の充電を制御する。
【００１１】
本発明の目的上、「モジュラ医用デバイス」、「医用モジュール」及び「医用タスク」を含むが、これらに限定されない技術用語は、本発明の技術において知られているように、かつ、本明細書において例示的に説明されているように、広く解釈されるべきである。
【００１２】
本発明に使用可能である医用デバイスの例には、電気治療モジュール、患者パラメータモニタリングモジュール及び治療コーチングモジュールが含まれるが、これらに限定されない。
【００１３】
本発明の目的上、「医用モジュール」及び「医用タスク」との用語に適用される「一次」及び「リモート」との用語は、モジュール及びタスクを区別するために使用されるのであって、本発明によって使用される任意の特定の医用モジュールの構造上の構成について制限するものではない。
【００１４】
本発明の目的上、「電源」との用語は、モジュールに給電するように、医用産業において使用される任意のタイプの電池又は電子デバイスを広く包含する。電源の例には、充電式電池、非充電式電池及び配電が含まれるが、これらに限定されない。
【００１５】
本発明の上記形又は他の形だけでなく、本発明の様々な特徴及び利点は、添付図面と併せて読まれた場合に、本発明の様々な実施形態の以下の詳細な説明から更に明らかとなろう。詳細な説明及び図面は、限定ではなく、本発明の例示に過ぎず、本発明の範囲は、添付の請求項及びその等価物によって規定される。
【図面の簡単な説明】
【００１６】
【図１】図１は、本発明の発明原理による一次医用モジュール及びリモート医用モジュールの例示的な実施形態を示す。
【図２】図２は、本発明の発明原理による充電方法を表すフローチャートを示す。
【発明を実施するための形態】
【００１７】
本発明の理解を助けるために、一次治療モジュールとリモートモニタモジュールとを使用するモジュラ除細動器／モニタの形の一次医用モジュールとリモート医用モジュールとを使用するモジュラ医用デバイスの一実施態様に関して、本発明の例示的な実施形態をここに提供する。しかし、当業者であれば、本明細書に例示的に説明される本発明の発明原理にしたがって様々な医用タスクを実行する様々な医用モジュールを使用する多数のモジュラ医用デバイスについて誰が本発明を成し、利用するのかを理解するであろう。
【００１８】
本発明の目的上、「ディスプレイ」、「ユーザインターフェース」、「患者パラメータモニタリング」、「電気治療」、「電力インターフェース」、「電源」、「基地局」及び「ドッキングステーション」を含むが、これらに限定されない技術用語は、本発明の技術において知られているように、かつ、本明細書において例示的に説明されているように、広く解釈されるべきである。
【００１９】
本発明の目的上、「コントローラ」との用語は、本明細書において以下に説明されるように、本発明の様々な発明原理の応用を制御する医用モジュール内に収容される又は当該医用モジュールに関連付けられる特定応用向けのメインボード又は特定用途向け集積回路のあらゆる構造上の構成を広く包含する。コントローラの構造上の構成は、プロセッサ、コンピュータ使用可能／コンピュータ読取可能記憶媒体、オペレーティングシステム、実行可能ソフトウェア／ファームウェア、周辺デバイスコントローラ、スロット及びポートを含むが、これらに限定されない。モジュールのハウジング形式の例は、標準モジュールハウジング（例えばＣｏｒｐｕｌｓ３のモジュール用のハウジング）及びポータブルコンピュータ（例えばタブレット又はラップトップ）を含むが、これらに限定されない。
【００２０】
図１を参照するに、モジュラ除細動器／モニタ１０は、概して、一次治療モジュール３０に電力接続されるリモートモニタモジュール２０を使用する。リモートモニタモジュール２０は、心電図（「ＥＣＧ」）、パルスオキシメトリ（「ＳｐＯ２」）、非侵襲的血圧（「ＮＩＢＰ」）、呼気（呼気終末）二酸化炭素（「ＥｔＣＯ２」）、温度及び観血血圧（「ＩＢＰ」）の測定を含むがこれらに限定されない既知の患者パラメータモニタリング技術を実行する際に、リモートモニタモジュール２０の動作のために自己給電するリモート電源２４を有する。一次治療モジュール３０は、除細動ショック、同期電気的除細動及び経皮的ペーシングを含むがこれらに限定されない電気治療技術を実行する際に、一次治療モジュール３０の動作のために自己給電する一次電源３４を有する。
【００２１】
本発明の発明原理によって、一次治療モジュール３０は、電気治療を実行する一次医用モジュールとして機能し、リモートモニタモジュール２０は、患者パラメータモニタリングを実行するリモート医用モジュールとして機能する。より具体的には、リモート電源２４は、各モジュール２０及び３０の電力インターフェース２５及び３５の電力接続後、一次電源３４によって条件付きで充電される。
【００２２】
必要条件は、一次電源３４の電力条件及び／又は一次電源３４が外部電源４０に電力接続されているか又は電池給電基地局（図示せず）に電力接続されているかに基づき、一次電源３４が、一次治療モジュール３０による電気治療の実行に加えて、リモート電源２４を遠隔充電するのに十分な電力を有することである。
【００２３】
任意選択の条件は、リモート電源２４の電力条件及び／又はリモート電源２４が外部電源４０に電力接続されているか又は電池給電基地局（図示せず）に電力接続されているかに基づき、リモート電源２４が、リモートモニタモジュール２０による患者パラメータモニタリングの実行のために不十分な電力を有することである。
【００２４】
具体的には、リモートモニタモジュール２０は、
（１）患者パラメータ測定結果を文章及び／又は図で示すディスプレイ２１と、
（２）患者パラメータ測定の実行及び／又は表示を選択的に制御するユーザインターフェース２２と、
（３）患者パラメータを自動的に及び／又はユーザ制御によって測定するモニタコントローラ２３と、
（４）リモート電源２４（例えば充電式電池、非充電式電池及び／又は配電）と、を組み込む。
【００２５】
治療モニタリングモジュール３０は、
（１）アラーム及び／又は治療デリバリ状態を文章及び／又は図で示すディスプレイ３１と、
（２）電気治療の実行及び／又は表示を選択的に制御するユーザインターフェース３２と、
（３）電気治療を自動的に及び／又はユーザ制御によって実行する治療コントローラ３３と、
（４）一次電源３４（例えば充電式電池、非充電式電池及び／又は配電）と、を組み込む。
【００２６】
コントローラ２３及び３３は更に、図２に示されるフローチャート５０及び６０によって表される本発明の充電方法を実施する。
【００２７】
図２を参照するに、フローチャート５０のステップＳ５２と、フローチャート６０のステップＳ６２とは、コントローラ２３及び３３が、各自のモジュール２０及び３０が電力インターフェース２５及び３５を介して電力接続されているかどうかを確認することを含む。実際には、電力インターフェース２５及び３５は、物理的な電気的結合（例えばケーブル又は図１に示されるようにドッキングステーション３６）又は誘導結合を含むが、これらに限定されない様々な既知の電力接続技術に従って構成される。更に、コントローラ２３及び３３は、確認応答される電力接続／切断状態を含むコントローラ２３とコントローラ３３との間の有線及び／又は無線データ交換の既知の技術を組み込む。
【００２８】
モジュール２０とモジュール３０との間に電力接続がある場合、フローチャート５０のステップＳ５４は、患者パラメータ測定を実行するためのモニタ電力閾値に対するリモート電源２４の電力条件及び／又はリモート電源２４に接続された任意の外部電源４０若しくは電池給電基地局の上記モニタ電力閾値に対する電力条件に基づき、モニタコントローラ２３が、リモート電源２４から利用可能である電力は、モニタコントローラ２３が患者パラメータモニタリングを実行するのに十分であるか又は不十分であるかを確認することを含む。
【００２９】
同時に、フローチャート６０のステップＳ６４は、電池治療を実行するための治療電力閾値に対する一次電源３４の電力条件及び／又は一次電源３４に接続された任意の外部電源４０若しくは電池給電基地局の上記治療電力閾値に対する電力条件に基づき、治療コントローラ３３が、一次電源３４から利用可能である電力は、治療コントローラ３３が電気治療を実行するのに十分であるか又は不十分であるかを確認することを含む。
【００３０】
一次電源３４から利用可能な電力が、治療コントローラ３３が電気治療を実行するのに不十分である場合、治療コントローラ３３は、フローチャート６０のステップＳ６６に進み、モニタコントローラ２３によって制御される一次電源３４からリモート電源２４への任意の充電（例えば電流引き込み、電圧ランピング等）を無効にする。実際には、電力引き込みの無効化は、リモート電源２４及び一次電源３４の適切な端子間に延在する回路経路内の治療コントローラ３３のスイッチを開く継電器の起動を含むが、これに限定されない様々な既知の技術で実現される。
【００３１】
一次電源３４から利用可能な電力が、治療コントローラ３３が電気治療を実行するのに十分である場合、治療コントローラ３３は、フローチャート６０のステップＳ６６に進み、モニタコントローラ２３によって制御される一次電源３４からリモート電源２４への充電（例えば電流引き込み、電圧ランピング等）を有効にする。実際には、充電の有効化は、リモート電源２４及び一次電源３４の適切な端子間に延在する回路経路内の治療コントローラ３３のスイッチを閉じる継電器の起動を含むが、これに限定されない様々な既知の技術で実現される。
【００３２】
一次電源３４に十分に利用可能な電力があることと同時に、リモート電源２４から利用可能な電力が、モニタコントローラ２３が患者パラメータ測定を実行するのに不十分である場合、モニタコントローラ２３は、フローチャート５０のステップＳ５６に進み、モニタコントローラ２３によって制御される一次電源３４からリモート電源２４への充電を制御する。実際には、充電の制御は、リモート電源２４及び一次電源３４の適切な端子間に延在する回路経路内の可変抵抗器の制御を含むが、これに限定されない様々な既知の技術で実現される。
【００３３】
ステップＳ５６及びＳ６６のモニタ充電は、
（１）モジュール２０及び３０が電力切断されたことが、各ステップＳ５８及びＳ６８において確認されるまで、
（２）モニタコントローラ２３が、ステップＳ５４に戻った後、リモート電源２４から利用可能な電力は、モニタコントローラ２３が患者パラメータ測定を実行するのに十分であることを確認するまで、及び、
（３）治療コントローラ３３が、ステップＳ６４に戻った後、一次電源３４から利用可能な電力は、治療コントローラ３３が電気治療を実行するのに不十分であることを確認するまで、維持される。
【００３４】
図１及び図２を参照するに、当業者であれば、フローチャート５０及び６０は、治療コントローラ３３によって条件付きで確立され、モニタコントローラ２３によって条件付きで制御される一次電源３４によるリモート電源２４の充電を容易にすることを理解するであろう。
【００３５】
図１及び図２を参照するに、当業者であれば更に、以下を含むが以下に限定されない本発明の多数の恩恵を理解できるであろう。
（１）複数の充電。例えばＣｏｒｐｕｌｓ  Ｃ３の除細動器／ペーサユニットによるモニタリングユニット及び患者ボックスの条件付き充電といった単一の一次医用モジュールから、複数のリモート医用モジュールの条件付き充電の技術。
（２）デザイントレードオフ。モジュラ医用デバイスの医用モジュールの電源のデザインにおいて考慮すべきトレードオフは多くある。例えば長い動作時間を提供するには、電池は大型で重い必要がある。しかし、小型で軽量の電池は、特に患者を運搬し、患者のバイタルパラメータの連続モニタリングが必要である場合に、モニタモジュールの持ち運びを容易にする。より具体的には、治療モジュールの電池は、高エネルギー電気ショックを高速供給するために高電流放電率を提供しなければならいが、この高電流放電率は、電池をより大きく及び重くする傾向にある。本発明の充電技術は、治療モジュールの電池に比べて、モニタリングモジュールの電池のサイズ及び重量の小型化及び軽量化を促進する。これにより、モニタリングモジュールが、より簡単に取り扱われ、ストレッチャに取り付けられ、患者と共にストレッチャ上で運ばれることが可能となる。
【００３６】
更に、本明細書に提供される教示内容を考慮して、当業者は理解するように、本開示／明細書に説明される並びに／又は図１及び図２に示される特徴、要素、コンポーネント等は、特に、本明細書に説明されるコントローラの電子コンポーネント／回路、ハードウェア、実行可能ソフトウェア及び実行可能ファームウェアの様々な組み合わせで実現され、単一の要素又は複数の要素において組み合わせられる機能を提供する。例えば図１及び図２に示される／例示される／図示される様々な特徴、要素、コンポーネント等の機能は、専用ハードウェアだけでなく、適切なソフトウェアとの関連においてソフトウェアを実行可能なハードウェアの使用を介して提供可能である。当該機能は、プロセッサによって提供される場合、単一の専用プロセッサによって、単一の共有プロセッサによって、又は、複数の個別のプロセッサによって提供可能であり、個別のプロセッサの幾つかは共有及び／又は多重化されてよい。更に、「プロセッサ」との用語の明示的な使用は、ソフトウェアを実行可能なハードウェアを排他的に指すと解釈されるべきではなく、限定されることなく、デジタル信号プロセッサ（「ＤＳＰ」）ハードウェア、メモリ（例えばソフトウェアを記憶する読み出し専用メモリ（「ＲＯＭ」）、ランダムアクセスメモリ（「ＲＡＭ」）、不揮発性記憶装置等）並びに処理を実行及び／又は制御することが可能である（及び／又は設定可能である）実質的に任意の手段及び／又はマシン（ハードウェア、ソフトウェア、ファームウェア、回路、これらの組み合わせ等を含む）を暗に含む。
【００３７】
更に、本発明の原理、態様及び実施形態を引用する本明細書におけるすべての記述だけでなく、これらの特定例は、これらの構造上の等価物及び機能上の等価物の両方を包含することを意図している。更に、このような等価物は、現在知られている等価物だけでなく、将来の開発される等価物（例えば構造に関係なく、同じ又は実質的に同様の機能を行うことができるように開発される任意の要素）の両方も含むことを意図している。したがって、例えば当業者であれば、本明細書に提供される教示内容を考慮して、本明細書において提示される任意のブロック図は、本発明の原理を具体化する例示的なシステムコンポーネント及び／又は回路の概念図を表すことは理解するであろう。同様に、当業者であれば、本明細書に提供される教示内容を考慮して、任意のフローチャート、フロー図等は、コンピュータ可読記憶媒体内に実質的に表現可能であり、したがって、コンピュータ、プロセッサ又は処理機能を有する他のデバイスによって、当該コンピュータ又はプロセッサが明示的に示されているか否かに関わらず、実行される様々な処理を表すことを理解すべきである。
【００３８】
更に、本発明の例示的な実施形態は、例えばコンピュータ若しくは任意の命令実行システムによる、又は、当該コンピュータ若しくはシステムに関連して使用されるプログラムコード及び／又は命令を提供するコンピュータ使用可能及び／若しくはコンピュータ可読記憶媒体からアクセス可能であるコンピュータプログラムプロダクト又はアプリケーションモジュールの形を取ることができる。本開示によれば、コンピュータ使用可能又はコンピュータ可読記憶媒体は、命令実行システム、装置若しくはデバイスによる、又は、当該システム、装置若しくはデバイスに関連して使用されるプログラムを、例えば含む、記憶する、通信する、伝搬する又は運搬する任意の装置であってよい。例示的な媒体は、例えば電子、磁気、光学、電磁、赤外若しくは半導体システム（若しくは装置若しくはデバイス）又は伝搬媒体であってよい。コンピュータ可読媒体の例には、例えば半導体若しくは固体メモリ、磁気テープ、取り外し可能なコンピュータディスケット、ランダムアクセスメモリ（ＲＡＭ）、読み出し専用メモリ（ＲＯＭ）、フラッシュ（ドライブ）、剛性磁気ディスク及び光学ディスクが含まれる。光学ディスクの現在の例には、コンパクトディスク−読み出し専用メモリ（ＣＤ−ＲＯＭ）、コンパクトディスク−読み出し／書き込み（ＣＤ−Ｒ／Ｗ）及びＤＶＤを含む。更に、当然ながら、今後開発されるであろう任意の新規のコンピュータ可読媒体も、本発明の例示的な実施形態及び開示内容にしたがって使用される又は言及されるコンピュータ可読媒体とみなされるべきである。
【００３９】
モジュラ医用デバイスを充電する新規かつ発明に係るシステム及び方法の好適かつ例示的な実施形態（これらの実施形態は例示を意図し、限定ではない）を説明したが、当然ながら、図１及び図２を含む本明細書に提供される教示内容を考慮して、当業者によって修正及び変更が行われてもよい。したがって、当然ながら、本開示の好適かつ例示的な実施形態に変更を行ってよく、これらは、本明細書に開示される実施形態の範囲内である。
【００４０】
更に、デバイスを組み込む及び／若しくは当該デバイスを実装する対応する及び／若しくは関連のシステム、又は、本開示に従ってデバイスにおいて使用される／実装されるシステムも想到され、本発明の範囲内であると見なされる。更に、本開示によるデバイス及び／若しくはシステムを製造する及び／若しくは使用する対応する並びに／又は関連の方法も想到され、本発明の範囲内であると見なされる。
【図１】
2018500127.tif 000003
【図２】
2018500127.tif 000004
【国際調査報告】
2018500127.tif 000005
2018500127.tif 000006
2018500127.tif 000007
2018500127.tif 000008